(57)【要約】【課題】マンション、ビル等の建物用出入ドアの構造を見直すことにより、ドアのロック部材を含む部分を一発で切断できるといった具合に、エンジンカッター等の動力機械によるドア突破作業の迅速化に寄与できるように改善する。【解決手段】ドア枠１に開閉自在に支持されるとともに、ロック部材５ｓが扉本体２Ｈとドア枠１とに跨って扉本体２Ｈを閉じ姿勢に維持するロック状態と、ロック部材５ｓが扉本体２Ｈとドア枠１とに跨らずに扉本体２Ｈの開閉移動が自在となるロック解除状態とが切換自在に構成されている建物用出入ドアＡにおいて、扉本体２Ｈの外面２ｈに、ロック状態におけるロック部材５ｓの存在箇所を示す印Ｍを設ける。【選択図】図２
2006257830.tif 000002
【特許請求の範囲】
【請求項１】
ドア枠に開閉自在に支持されるとともに、ロック部材が扉本体と前記ドア枠とに跨って前記扉本体を閉じ姿勢に維持するロック状態と、前記ロック部材が前記扉本体と前記ドア枠とに跨らずに前記扉本体の開閉移動が自在となるロック解除状態とが切換自在に構成されており、かつ、前記扉本体の外面に、前記ロック状態における前記ロック部材の存在箇所を示す印が設けられている建物用出入ドア。
【請求項２】
前記ロック状態における前記ロック部材を隠すべく、前記扉本体に、これと前記ドア枠との隙間を覆う目隠し板部を一体的に設けるととともに、前記印が前記目隠し板部に設けられている請求項１に記載の建物用出入ドア。
【請求項３】
前記印は、前記ロック部材を横切る方向に沿って形成される凹入溝である請求項１又は２に記載の建物用出入ドア。
【請求項４】
前記凹入溝の幅は、エンジンカッターの刃が嵌まり込み可能な程度の寸法に設定されている請求項３に記載の建物用出入ドア。
【請求項５】
前記凹入溝は、前記扉本体の一端から他端に貫かれて形成されている請求項３又は４に記載の建物用出入ドア。
【請求項６】
前記凹入溝は、溝底壁を形成する底板部材の外面に沿って重ねられる板材の折り返しによる折返し端面によって形成される溝側壁を有して構成されている請求項１〜５の何れか一項に記載の建物用出入ドア。
【請求項７】
前記ドア枠に形成される係止穴に対して挿脱自在な前記ロック部材を有する施錠装置が前記扉本体に装備されている請求項１〜６の何れか一項に記載の建物用出入ドア。
【発明の詳細な説明】
【技術分野】
【０００１】
本発明は、マンション、ビル、戸建、集合住宅等の建物に装備される玄関ドア、勝手口ドア等の出入ドアに関するものである。特に、高層マンションの玄関ドアに好適となる防災対策が施された出入ドアである。
【背景技術】
【０００２】
マンション、ビル、戸建て住宅等の建物において火災が発生した際には、逃げ遅れて室内で失神或いは意識不明の方が居り、しかもベランダ出入り用の掃出し窓及び玄関等の人が出入り可能な箇所が施錠されたまま、という極めて切迫した状況がしばしば発生する。このような緊急時のときには、平屋建てや一般的な戸建て住宅ならば、消防隊やレスキュー隊は、１階のどこかのガラス窓を壊すことで比較的容易に内部に入り、人命救助活動等を行うことが可能である。また、ビルやマンションであっても、２〜５階といった比較的低い階層であれば、梯子車等を用いることでベランダや部屋の窓を壊して中に入ることが可能である。
【０００３】
しかしながら、梯子車でも届かないような高層ビルや高層マンションにおける高層階での火災では、ベランダや外部に面する窓からの侵入は不可能であり、玄関から入るしかない場合が殆どである。このような場合は、施錠されている玄関ドアをエンジンカッターを用いてロック箇所を切断し、何とか玄関ドアをこじ開ける作業が為される。人命救助率は、火災発生後の時間が短い程高くなるので、この一刻を争うドア突破作業は極めて迅速に行わねばならない。
【０００４】
通常の揺動開閉型玄関ドアでは、施錠解除用の鍵穴の付近に、建物の躯体側であるドア枠とドア本体とに跨る状態のロック部材が存在するので、作業者は、ドア本体の開き側端部における鍵穴や取っ手に程近い箇所を上から下に向けてエンジンカッターで切断するようになる。ところが、狙った箇所にロック部材が無いとか、カッター刃が滑って狙った箇所からずれて切断されるといった具合に、一回の切断作業ではうまくいかず、切断作業を複数回繰返えし行わねばならないこともしばしばあり、このエンジンカッター等の動力機械を用いてのドア突破作業には、その作業を迅速化させるには改善の余地が残されているものであった。
【０００５】
一方、特許文献１には、玄関ドアの扉本体に小型の補助ドアを設けておく補助ドア付玄関ドアが開示されている。このような構成を建物の玄関ドアに採用すれば、火災等の災害時には、玄関ドアが施錠されていても、玄関ドアに比べて壊しやすい補助ドアを突破して内部に入ることができるから、従って、実質的に前記ドア突破作業の効率を改善することが可能であるように思える。
【特許文献１】特開２００４−１３７８６６号公報
【発明の開示】
【発明が解決しようとする課題】
【０００６】
しかしながら、補助ドアを設けることによってドア重量が重くなって開閉負荷が増加するとともに、コストも明確に高くなる。また、ドア内外の外観的にも芳しくないように思われるので、殆ど使われる見込みの少ない補助ドアを設ける手段にはデメリットが多く、現実的には採用が困難である。従って、火災発生時や室内に救出すべき重病人が居るといった緊急時に、エンジンカッター等の動力機械を用いて、玄関ドア等の出入ドアを迅速に崩して突破するには、更なる改善の余地が残されているものであった。
【０００７】
本発明の目的は、マンション、ビル等に設置されている建物用出入ドアの構造を見直すことにより、ドアのロック部材を含む部分をエンジンカッター等の動力機械によって一発で切断できるといった具合に、施錠されている状態におけるドア突破作業の迅速化に寄与できるように改善させる点にある。
【課題を解決するための手段】
【０００８】
請求項１に係る発明は、ドア枠１に開閉自在に支持されるとともに、ロック部材５ｓが扉本体２Ｈと前記ドア枠１とに跨って前記扉本体２Ｈを閉じ姿勢に維持するロック状態と、前記ロック部材５ｓが前記扉本体２Ｈと前記ドア枠１とに跨らずに前記扉本体２Ｈの開閉移動が自在となるロック解除状態とが切換自在に構成されている建物用出入ドアＡにおいて、前記扉本体２Ｈの外面２ｈに、前記ロック状態における前記ロック部材５ｓの存在箇所を示す印Ｍが設けられていることを特徴とするものである。
【０００９】
請求項２に係る発明は、請求項１に記載の建物用出入ドアＡにおいて、前記ロック状態における前記ロック部材５ｓを隠すべく、前記扉本体２Ｈに、これと前記ドア枠１との隙間を覆う目隠し板部２Ｂを一体的に設けるととともに、前記印Ｍが前記目隠し板部２Ｂに設けられていることを特徴とするものである。
【００１０】
請求項３に係る発明は、請求項１又は２に記載の建物用出入ドアＡにおいて、前記印Ｍは、前記ロック部材５ｓを横切る方向に沿って形成される凹入溝であることを特徴とするものである。
【００１１】
請求項４に係る発明は、請求項３に記載の建物用出入ドアＡにおいて、前記凹入溝Ｍの幅は、エンジンカッターの刃２９が嵌まり込み可能な程度の寸法に設定されていることを特徴とするものである。
【００１２】
請求項５に係る発明は、請求項３又は４に記載の建物用出入ドアＡにおいて、前記凹入溝Ｍは、前記扉本体２Ｈの一端から他端に貫かれて形成されていることを特徴とするものである。
【００１３】
請求項６に係る発明は、請求項１〜５の何れか一項に記載の建物用出入ドアＡにおいて、前記凹入溝Ｍは、溝底壁３５ａを形成する底板部材３５の外面に沿って重ねられる板材の折り返しによる折返し端面によって形成される溝側壁３１ａ，３６ａを有して構成されていることを特徴とするものである。
【００１４】
請求項７に係る発明は、請求項１〜６の何れか一項に記載の建物用出入ドアＡにおいて、前記ドア枠１に形成される係止穴２２に対して挿脱自在な前記ロック部材５ｓを有する施錠装置５が前記扉本体２Ｈに装備されていることを特徴とするものである。
【発明の効果】
【００１５】
請求項１の発明によれば、閉じ姿勢にある扉本体には、これをドア枠に開き不能に係止維持ロックするロック部材の在り処を示す印（しるし）が設けてあるから、エンジンカッター等の切断用動力機械を用いて出入ドアを破壊する際には、その印に回転刃を当てて切断作業すれば、１回の切断操作によってドア突破作業を行うことが可能になる。つまり、出入ドアにおけるロック部材の位置を、おおよその見当で定めるとか、感に頼って定めるのではないから、この種の作業の熟練度に関係なく、確実にロック部材の存在箇所を知ることができる。その結果、扉本体に印を付ける程度の簡単な改造により、ドアのロック部材を含む部分を一発で切断できるといった具合に、エンジンカッター等の動力機械による施錠状態のドア突破作業の迅速化に寄与する建物用出入ドアを提供することができた。
【００１６】
この場合、ロック部材を出退移動させる施錠装置は、扉本体に設けても、ドア枠に設けても良いが、請求項７のように、扉本体に設ける一般的な構造を採れば、ドア突破作業が行われた場合には、ドア枠側に設けられるロック部材挿脱用の穴構造の現状維持が可能となるので、扉本体の交換だけで出入ドアを復活させることができる利点がある。
【００１７】
請求項２の発明によれば、次のような利点がある。即ち、出入ドアにおいては、これの開き側端とドア枠との隙間、並びにロック状態のときのロック部材が部分的に外から見えることを隠して外観を向上させるべく、扉本体から突出する目隠し板部を設ける構造が採用される。従って、そのような構造の出入ドアにおいてロック部材を切断するには、構造部材が多く存在して強度・剛性の高い扉本体を伴って切断するよりも、板一枚程度の低い強度・剛性の目隠し板部を伴って切断するほうが楽に、かつ、短時間でドア突破作業を行うことができる。その結果、目隠し板部に印を設ける工夫により、請求項１の発明による前記作用及び効果をより能率良く得ることができる。
【００１８】
請求項３の発明によれば、凹入溝がロック部材を横切る方向に形成されているから、エンジンカッター等の動力機械を用いてドアを切る場合には、ロック部材を短い切断長でもって切断することが可能となり、より短時間でドア突破作業が行える好ましいものとしながら、請求項１又は２の発明による前記作用及び効果を得ることができる。
【００１９】
請求項４の発明によれば、ドア切断時には、エンジンカッターの刃を凹入溝に入り込ませることができるから、エンジンカッターを駆動回転させての作業時に刃が切断予定位置からずれ動くことが生じない或いは生じ難くなり、より確実に扉本体におけるロック部材箇所を切断できる建物用出入ドアを提供することができる。
【００２０】
請求項５の発明によれば、凹入溝を、単なる切断箇所の表示用印としてだけでなく、ドア外観を向上させるためのデザインとして用いることが可能となり、必要な機能と意匠とのとの相乗効果が図れる建物用出入ドアを提供することができる。
【００２１】
請求項６の発明によれば、板材の折り曲げ端面を溝側壁としてあるので、強度的に十分なものとすることが可能であるとともに、例えば、押し出し材を用いて溝を形成する手段や、切削加工を施して溝とする手段に比べて廉価に凹入溝を形成することができる。そして、折り返し端面を溝側壁に用いているので、溝側壁と溝底壁との間に形成される隅角部が明確に存在する状態に構成できて、回転刃等の切断用具を溝底壁まで十分に入れ込むことができる点でも好ましいとともに、それによって凹入溝の形状がくっきりと鮮明に見えて、外観上も好ましいものとすることが可能となる。
【発明を実施するための最良の形態】
【００２２】
以下に、本発明による建物用出入ドアの実施の形態を、図面を参照しながら説明する。図１〜図３はマンション用玄関ドアの正面図、横断面図、縦断面図、図４はドアロック部分の断面図、図５は受止め機構を示す分解斜視図、図６はロック部材の動きを示す作用図、図７は内外取っ手と施錠装置とを示す広角斜視図、図８は実施例２による建物用出入ドアの横断面図である。また、図９は凹入溝の比較例を示す要部の断面図である。
【００２３】
〔実施例１〕
図１は、建物用出入ドアの一例として、高層マンション用の袖パネル付玄関ドア（建物用出入ドアの一例）Ａを示している。Ｆは床（マンションの廊下）である。この袖パネル付玄関ドアＡは、建物の躯体１７に取付固定されるドア枠１と、ドア枠１に開閉自在に支承されるドア２と、各種機能設備Ｅが装備され、かつ、ドア２の向って左側に隣接する状態でドア枠１に支持されるパネル材４から成る袖パネル３と、から構成されている。ドア２は、向って右側の端部に設定される上下向きのドア支点Ｐ周りで揺動開閉自在にドア枠１に支承されるとともに、上下二箇所の鍵（施錠装置の一例）５と、取っ手（把手）６と、意匠用の縦線部７とを有して構成されている。
【００２４】
袖パネル３は、パネル材４をその向って左側の端部に設けた上下向きのパネル支点Ｑ周りで揺動可能にドア枠１に支承して成り、パネル材４を閉じ状態にあるドア２と平行な姿勢とすべく閉じ揺動された作用姿勢（図１に実線で示す姿勢）と、パネル材４の背面４Ｈを露呈すべく開き揺動されたメンテナンス姿勢（図１に仮想線で示す姿勢）とに切換自在に構成されている。パネル材４には、上から玄関灯８、ネーム札９、インターホン１０、新聞や郵便物等を収容するための外部ポスト１１等から成る種々の機能設備Ｅが装備されている。
【００２５】
ドア枠１は、図１〜図３に示すように、中空断面形状を有する左右の縦枠材１２，１３、上下の横枠部材１４，１５、中空断面形状を有する中間縦枠材（中間縦枠部）１６等から構成されており、例えば、躯体であり固定部でもある金属製等の強度部材１７にボルト止め固定されている。これら枠材１２〜１６は、例えば下側の横枠部材１５をステンレス材から形成し、その他の枠材１２〜１４，１６は圧延鋼板材から形成するが、アルミ合金を用いる等、これらには限定されない。右縦枠材１３と中間縦枠材１６には、これらの間に人体や荷物等の通過用空間Ｓを形成するとともに、ゴム等の合成樹脂材によるシール材１８，１９を支持するように、前後方向に若干の幅を有した内壁面１３ａ，１６ａが形成されている。
【００２６】
ドア２は、図１〜図３に示すように、扉本体２Ｈと、開閉基端側の端面材２Ａと、開閉先端側の目隠し板部２Ｂとを有するスチール製のものに構成されており、上下の横枠材１４，１５夫々との間に亘る状態の支軸２０を介してドア支点Ｐを中心に揺動開閉自在にドア枠１に支承されている。端面材２Ａは、横断面が半円形状を呈する曲面のドア支点側端面２ａを有する押出し材製であり、箱体状の扉本体２Ｈの内部空間にはグラスウール等の防音断熱材２１が充填されている。また、向って扉本体２Ｈの左端に一体的に配置形成される目隠し板部２Ｂは、中間縦枠材１６の前面における略右側半分、及びこれと扉本体２Ｈとの縦隙間を覆って隠す役割を有している。
【００２７】
中間縦枠材１６には、ドア２に装備される鍵５の出退シリンダであるロック部材５ｓを挿脱自在な受止め機構Ｕが構成されている。受止め機構Ｕは、図２，４，５に示すように、中間縦枠材１６の右前側壁１６ｂに形成される縦長の開口部（係止穴の一例）２２と、この開口部２２に挿入自在な箱状カバー（トロカバー）２３と、箱状カバー２３の外側から中間縦枠材１６にボルト止めされる下地板２４と、下地板２４を覆う外装品である薄箱状の化粧カバー２５とから構成されている。中間縦枠材１６における開口部２２の上及び下で奥側（屋内側）に寄った箇所には、計２箇所のナット部１６ｎが形成されている。
【００２８】
箱状カバー２３は、ロック部材５ｓの挿入及び離脱が自在な右側面開放の箱部２３Ａと、その上下において折り返された上下一対の取付板部２３ａとを有したバネ板等の弾性を有した板材で形成されており、箱部２３Ａが中間縦枠材１６の開口部２２に丁度嵌り込むように寸法設定されている。下地板２４は、ロック部材５ｓの挿通が自在な開口部２４ａが形成された支持板部２４Ａと、箱状カバー側に寄った状態に位置する上下一対の取付板部２４ｂとを備えた板金材で形成されている。支持板部２４Ａの上下夫々にはナット部２４ｎが形成され、各取付板部２４ｂにはボルト挿通用孔２４ｈが形成されている。
【００２９】
化粧カバー２５は、ロック部材５ｓの挿入及び離脱が自在な開口部２５ｋを有した頂壁２５ａと、略台形を呈する左右の（玄関ドアに向って前後の）側壁２５ｂと、上下の傾斜壁２５ｃとを有した箱状のものに構成されている。頂壁２５ａの上下にはボルト挿通用の貫通孔２５ｈが形成されている。
【００３０】
箱状カバー２３、下地板２４、化粧カバー２５の三者は、図４及び５に示すように、先ず、下地板２４を、これと中間縦枠材１６の右前側壁１６ｂとの間に上下の取付板部２３ａを挟み込んだ状態としてから、一対の内ボルト（ナベビス）２６を挿通用孔２４ｈを通してナット部１６ｎに螺着することにより、箱状カバー２３と共に中間縦枠材１６に固定する。つまり、箱状カバー２３は、その上下一対の取付板部２３ａが弾性変形されることによる押圧力によって付勢支持されている。それから、一対の装着ボルト（皿ビス）２７を貫通孔２５ｈを通してナット部２４ｎに螺着することにより、箱状カバー２３及び下地板２４を覆う状態に化粧カバー２５を下地板２４に、即ち中間縦枠材１６に取付ける。
【００３１】
ドア２が閉じられた状態で鍵５が施錠操作されると、ロック部材５ｓが、開口部２５ｋ及び開口部２４ａを通って箱状カバー２３の箱部２３Ａに入り込む突出姿勢（図４参照）に切換り、ドア２が閉じ状態から開かないようにロックされる。そして、鍵５が施錠解除操作されると、突出ロック姿勢にあるロック部材５ｓが引戻し移動されて扉本体２Ｈに収容された退入姿勢に切換り、ドア２が開閉自在な状態になる。つまり、ロック部材５ｓが扉本体２Ｈと中間縦枠材（ドア枠の一例）１６とに跨って扉本体２Ｈを閉じ姿勢に維持するロック状態と、ロック部材５ｓが扉本体２Ｈと中間縦枠材１６とに跨らずに扉本体２Ｈの開閉移動が自在となるロック解除状態とが切換自在に構成されているのである。また、ドア２が開かれて、中間縦枠材１６が露出されても、その開口部２２は化粧カバー２５で見栄え良く覆われており、受止め機構Ｕとしての外観向上を果たしている。
【００３２】
ロック部材５ｓは、図４、図６、図７に示すように、上壁５１と左右一対の側壁５２，５３とから成る下向き開放コ字状の側面視形状を有する屈曲鋼板材で形成されており、左右の側壁５２，５３の間には鉤状（鎌状）の抜止め部材５４が、下方に突出した作用姿勢（図６に実線で示す姿勢）と、左右の側壁５２，５３間に収容された退避姿勢（図６に破線で示す姿勢）とに切換自在に装備されている。抜止め部材５４は、ロック部材５ｓが突出姿勢に切換わるに伴って下方に突出する作用姿勢に切換り、ロック部材５ｓが退入姿勢に切換わるに伴って退避姿勢に切換るように、抜止め部材５４がロック部材５ｓに連動連係されている。尚、抜止め部材５４は、作用姿勢において上方に突出するものでも良い。
【００３３】
ドア２をロックすべくロック部材５ｓが突出姿勢に切換えられた状態では、抜止め部材５４がホルダ内において下方突出しているので、例えば、バール等の工具を用いてドア２と中間縦枠材１６との隙間を強制的に広げて、ロックされているドア２を開けようとしても、抜止め部材５４がホルダに引っ掛っているため、ロック部材５ｓをホルダから抜き出すことができない。従って、ロック状態のドア２を強制的に開こうとする不測の事態に対応することができ、ドア２の施錠効果をより高めることに寄与する施錠装置となっている。
【００３４】
参考として図７に、ドア２の内外の取っ手６，３７と上下の施錠装置５，５との位置関係を示す。外取っ手６の上下端のそれぞれには各施錠装置５を施錠及び開錠するためのキー穴部３８が配置されており、内取っ手３７の上下端のそれぞれには、各施錠装置５を施錠及び開錠するための手指で回動操作される摘み部３９が配置されている。外取っ手６を引っ張り操作することにより、上側の施錠装置５にのみ装備されている出退自在なフック４０を退入移動させてドア２（扉本体２Ｈ）の開き揺動が行える。また、内取っ手３７を押し操作することにより、前記フック４０が退入移動されてドア２を押し開き揺動することが行える。なお、図７では目隠し板部２Ｂを省略してある。
【００３５】
次に、袖パネル３について簡単に説明する。袖パネル３は、図１，２，４に示すように、中空箱状のパネル材４の向って左端部における前端部の上下に、パネル支点Ｑを中心とする上下の支軸２８を設けてあり、上支軸２８は上横枠材１４に、かつ、下横枠材１５に支持される下支軸２８はパネル材４に夫々枢支されている。また、パネル材４には、中間縦枠材１６の前面の略左側半分を覆って隠す薄板部４ｂが形成されている。
【００３６】
袖パネル３をドア枠１に対して閉じた状態、即ち作用姿勢に付勢維持する機構であるマグネットキャッチ３２が装備されている。マグネットキャッチ３２は、図２及び図４に示すように、パネル材４の右端部の上下中間位置において内装されたマグネット３２ａと、鋼板製の中間縦枠材１６の左張出し部１６ｃの前面に磁着自在な状態でパネル材４に外装される金属板材製のキャッチ３２ｂとで成り、マグネット３２ａの磁力を受けるキャッチ３２ｂが中間縦枠材１６に磁力吸引されることで袖パネル３の作用姿勢を付勢維持できるようになっている。
【００３７】
マグネットキャッチ３２の磁着力では、袖パネル３を強く引張れば開くことができるが、袖パネル３の開き揺動を不能として作用姿勢に係止維持するためのロック機構３３も装備されている。ロック機構３３は、図２及び図４に示すように、中間縦枠１６の左前側壁１６ｄとパネル材４の右側壁４ａとに亘って螺装される係止ボルト３４で構成されている。係止ボルト３４は、図４，５に示すように、鍵５のロック部材５ｓを受止めるための開口部２２から中間縦枠材１６内に出し入れ自在とされており、受止め機構Ｕが装備された状態では、係止ボルト３４の操作が不可になることは勿論、外から見えないようにカバーされている。つまり、ロック機構３３は、受止め機構Ｕの存在を利用して係止ボルト３４の装脱が行える構造とされており、中間縦枠材１６には専用のボルト挿通孔が不要となっている。
【００３８】
次に、ドア２の防災構造について説明する。図１、図２、図４に示すように、扉本体２Ｈの外面２ｈには、ロック状態におけるロック部材５ｓの存在箇所を示す印Ｍが設けられている。印Ｍの具体構成としては、ドア２を上下に貫く状態で目隠し板部２Ｂに形成された凹入溝であり、この縦向きの凹入溝Ｍは上下一対のロック部材５ｓを横切る方向に沿って形成されている。凹入溝Ｍは、扉本体２Ｈの開閉側端部材５５と、化粧カバー２５との間の隙間に前後方向で重なる位置関係（左右方向で互いに同じ位置関係）となるように設定されているとともに、その溝幅Ｗは、エンジンカッター（図示省略）の回転刃２９の厚みＤよりも少し大きい値、即ち、回転刃２９が凹入溝Ｍに嵌まり込み可能な程度の寸法に設定されている。
【００３９】
目隠し板部２Ｂは、図２及び図４に示すように、扉本体２Ｈの外面２ｈを形成するための外面板３０の折返し部端部３１と、これと開閉側端部材５５との間に挟持される状態で固定される底板部材３５と、底板部材３５の先端側部分の折返しで成る厚肉部３６と、を有する鋼板プレス製のものに構成されている。つまり、凹入溝Ｍは、溝底壁３５ａを形成する底板部材３５の外面に沿って重ねられる板材の折り返しによる折返し端面によって形成される左右の溝側壁３６ａ，３１ａを有して構成されている。溝側壁３６ａ，３１ａを板材の折返し端面によって構成してあるので、溝側壁３６ａ，３１ａと溝底壁３５ａとの間に形成される隅角部ｓｋが明確に存在する状態に構成できて、回転刃２９等の切断用具を溝底壁３５ａまで十分に入れ込むことができる点でも好ましいとともに、それによって凹入溝Ｍの形状がくっきりと鮮明に見えて、外観上も好ましいものとすることが可能となる。また、板材の二枚重ね構造として、各部には十分な強度と剛性が備わるようにされている。
【００４０】
例えば、図９に示すように、二枚重ねの板材部Ｂ１，Ｂ２をプレス成形によって凹入溝Ｍを形成する手段（本発明の範疇である）では、隅角部ｓｋには若干の隅Ｒが出る傾向にあるとともに、直接型で押し成形できない溝開口側の突角部ｔｋは大きくだれ（プレスだれ）てはっきりしない断面形状の溝となる。従って、凹入溝Ｍに回転刃２９を嵌め込んでもずれ動き易いとか、抜け出易いといった不利があるとともに、そのだれた溝開口側の突角の形状故に見た目の立体感が出難く、はっきりしない印象を与える不利もある。これに対して、上述の折返し端面による凹入溝Ｍでは、板材による廉価なもので、かつ、同じ厚みとしながらも、これらの不利がなく立体的で鮮明となる好ましい外観、並びに嵌め入れられた回転刃２９を安定的にガイドできる利点がある。
【００４１】
〔実施例２〕
実施例２による建物用出入ドアは、袖パネルを持たない一般的な玄関ドアに関するものであり、図８に示す。尚、図８においては、実施例１による玄関ドアと実質的に同じ構造の箇所には同じ符号を付し、その説明は割愛する。実施例２の建物用出入ドアＡは、ドア枠１とドア２とから成り、ロック部材５ｓは左縦枠材１２に設けられた受止め機構Ｕに対して出退移動する。
【００４２】
この場合では、ドア２の目隠し板部２Ｂにおける凹入溝Ｍは、受止め機構Ｕを構成するホルダ４１の右端部の前方に位置する状態に設定されている。従って、緊急時のエンジンカッターによるドア突破作業の際には、回転刃２９によってホルダ４１と共にロック部材５ｓが切断されるようになる。
【００４３】
〔別実施例〕
実施例１や実施例２の玄関ドアでは、ドア枠１に形成される係止穴（開口部）２２に対して挿脱自在なロック部材５ｓを有する施錠装置５が扉本体２Ｈに装備されているが、施錠装５がドア枠１に設置されてロック部材５ｓが出退する係止穴（開口部）２２が扉本体２Ｈに形成される構成の建物用出入ドアにも本発明を適用可能である。また、建物用出入ドアとは、台所の勝手口ドア、洗面所から外に通じる入出ドア、商店等の引き戸式ドア等、種々のドアに適用が可能である。さらに、ロック部材５ｓとしては、揺動開閉式のドアでも引き違い式のスライドドアでも使用できる回転式（回動式）のものでも良い。
【００４４】
本発明における「ドア枠」とは、玄関ドアを開閉自在に支持する固定側の部分を指しており、実施例１のように、通常は閉じロックされる開閉可能な袖パネルを有する玄関ドアにおける「袖パネル」や、ドア枠が省略されて直接建物の躯体に対して開閉自在に支持されるような構造における「躯体」は、「ドア枠」の範疇に含むものであると定義する。また、印Ｍとしては、凹入溝のほか、段部、刻印、貼着されたラベル、塗装、穴、凹み、ネジ頭、等の種々のものが可能である。
【図面の簡単な説明】
【００４５】
【図１】マンション用の袖パネル付玄関ドアを示す正面図（実施例１）
【図２】図１の玄関ドアの構造を示す横断面図
【図３】図１の玄関ドアの構造を示す縦断面図
【図４】ロック機構及び受止め機構の構造を示す拡大の横断面図
【図５】受止め機構の構成を示す分解斜視図
【図６】ロック部材部分の構造を示す一部切欠きの拡大正面図
【図７】内外の取っ手とロック部材との配置関係を示す広角斜視図
【図８】袖パネルを持たない一般的な玄関ドアの横断面図（実施例２）
【図９】凹入溝の比較例を示す要部の断面図
【符号の説明】
【００４６】
１          ドア枠
２Ｂ        目隠し板部
２Ｈ        扉本体
５ｓ        ロック部材
２２        係止穴
２９        エンジンカッターの刃
３１ａ      溝側壁
３５ａ      溝底壁
３６ａ      溝側壁
Ａ          建物用出入ドア
Ｍ          印（凹入溝）
【図１】
2006257830.tif 000003
【図２】
2006257830.tif 000004
【図３】
2006257830.tif 000005
【図４】
2006257830.tif 000006
【図５】
2006257830.tif 000007
【図６】
2006257830.tif 000008
【図７】
2006257830.tif 000009
【図８】
2006257830.tif 000010
【図９】
2006257830.tif 000011